(57)【要約】【課題】  身体への負担が少なく迅速に行なえ、しかも着心地のよい介護用衣服を提供する。【解決手段】介護用衣服１は、一対の身頃部１０，１０ａと、この身頃部１０，１０ａの左右両端に形成された袖部２０，２０ａと、見頃部１０，１０ａと袖部２０，２０ａとを前部と後部とに分離可能とする開閉具３０，３０ａとを備え、身頃部１０，１０ａの上下方向でその左半身前面側に左側開放口１３が、右半身前面側に右側開放口１４が設けられ、袖部２０，２０ａの最下部２０ｂと最上部２０ｃとの間で前半身側に腕開放口２２，２２ａが設けられ、左側開放口１３と腕開放口２２、右側開放口１４と腕開放口２２ａを夫々繋げ、各開放口１３，１４に開閉具３０，３０ａを装着した。【選択図】図１
2008075225.tif 000002
【特許請求の範囲】
【請求項１】
要介護者の胴体部分を覆う一対の身頃部と、この身頃部の左右それぞれの両端に形成され要介護者の左腕、右腕を覆う一対の袖部と、見頃部と袖部とを前部と後部とに分離可能とするための開閉具とを備え、前記身頃部の上下方向でその左半身前面側に左側開放口が、右半身前面側に右側開放口がそれぞれ設けられ、前記袖部の最下部と最上部との間で前半身側に腕開放口が設けられ、左側開放口と腕開放口、右側開放口と腕開放口を夫々繋げ、各開放口に開閉具を装着したことを特徴とする介護用衣服。
【請求項２】
前記開閉具はスライドファスナー，面ファスナー，ボタン，ホック，紐の何れかからなることを特徴とする請求項１記載の介護用衣服。
【請求項３】
前記身頃部及び袖部の素材は、ニット類，綿，中綿，中ダウンの何れかからなることを特徴とする請求項１又は請求項２記載の介護用衣服。
【発明の詳細な説明】
【技術分野】
【０００１】
この発明は、高齢者，身体障害者，寝たきりの患者等、通常の着替えができず、他人の介護を必要とする要介護者に対し、介護者が着替えを容易に行なうことのできる介護用衣服に関するものである。
【背景技術】
【０００２】
高齢者，身体障害者，寝たきりの患者等の介護を必要とする要介護者は、腕を伸ばしたり曲げたりする動作を自らの意思の通りに自由に行なうことができないため、衣服の着替えの際に介護者の助けを必要とする場合があるが、この場合、要介護者は不自由な腕を動かすこととなり、苦痛を伴なったり、労力を必要とするものであった。そこで、苦痛，労力を伴うことなく、着替えを容易に行なうことのできる介護用衣服として多くの発明が提案されている。
【０００３】
特許文献１は図４に示すように、前身頃４０と袖前部４２とを含む前側布部と、後身頃４１と袖後部４３とを含む後側布部とからなり、肩部、上下袖部、左右脇部に設けられた掛合具４４により、前側布部と後側布部とを着脱自在に接合した上着を形成することを特徴とする介護用衣服３９である。
【０００４】
特許文献２は図５に示すように、一対の前縁５３を設けた前身頃５４と、前身頃５４と共に胴部５６を形成する後身頃５５と、胴部５６の両側に取り付けられた袖部５７とを有する上着５２を備えた介護用衣服５１において、前身頃５４の縦方向に延伸する各脇合わせ縁部５９と後身頃の縦方向に延伸する各脇合わせ縁部６０との間及び前身頃５４の脇合わせ縁部５９及び後身頃５５の脇合わせ縁部６０にほぼ対向して延伸する各袖部５７の一対の側縁６１との間を上着開閉手段５８により分離可能に接続し、閉鎖した上着開閉手段５８を完全に開放して、前身頃５４の脇合わせ縁部５９と後身頃５５の脇合わせ縁部６０とを分離しかつ袖部５７の一対の側縁６１を分離できることを特徴とする介護用衣服５１である。
【０００５】
特許文献３は図６に示すように、袖口７１及び身頃口７２を有し、着衣者の上半身を被覆する筒状の衣服７０であって、左右両側の少なくとも一方に、前記身頃口７２から袖下を通った前記袖口７１までの全長に渡って設けられた分離可能な分離手段７３と、該分離手段７３に沿って設けられ、該分離手段７３を裏側から被覆する裏地とを備えることを特徴とする衣服である。
【０００６】
【特許文献１】特開２００４−３３２１５４号公報
【特許文献２】実用新案登録第３１０３４６２号公報
【特許文献３】実用新案登録第３１０３６１７号公報
【発明の開示】
【発明が解決しようとする課題】
【０００７】
前記特許文献１乃至３の各介護用衣服は、身頃の端部に設けられている脇部分から左右の袖の最下端部あるいは最上端部にかけて、スライドファスナー，面ファスナー，ボタンなどからなる開閉具を取り付けるタイプであり、要介護者にとって着心地という点において、満足できるものではなかった。
【０００８】
即ち、介護用衣服は脇部分に開閉具を取り付ける、或いは左右の袖の最上部及び最下部、左右の肩の最上部の部分に開閉具を取り付けることにより、着用時、または身体を動かす時などに、その開閉具が身体の一部に触れるからである。例えば人間は歩く行為を行なう時などには左右の腕を交互に前後へ振る動きをするが、この時などに脇部分と袖部分に取り付けられている開閉具が身体の一部と触れて痛みが発生する。
また、要介護者が自ら身体を動かそうと努力をしても、身体の肩，腕，脇等と開閉具とが擦れたり、圧迫されたりして違和感があり、痛みを感じたりする。これは、人間は身体を動かす特には腕，身体の側面を動かすものであり、特に腕，身体の側面である脇部分などは、動作時に他のものと擦れたり、接触するからである。
【０００９】
そこで本発明は、上記事情に基づきなされたものであり、要介護者が着替えを行なう場合に、身体への負担が少なく迅速に行なえ、しかも着心地のよい介護用衣服を提供することを課題とする。
【課題を解決するための手段】
【００１０】
上記課題を達成するため、本発明の介護用衣服は、要介護者の胴体部分を覆う一対の身頃部と、この身頃部の左右それぞれの両端に形成され要介護者の左腕、右腕を覆う一対の袖部と、見頃部と袖部とを前部と後部とに分離可能とするための開閉具とを備え、身頃部の上下方向でその左半身前面側に左側開放口が、右半身前面側に右側開放口がそれぞれ設けられ、袖部の最下部と最上部との間で前半身側に腕開放口が設けられ、左側開放口と腕開放口、右側開放口と腕開放口を夫々繋げ、各開放口に開閉具を装着したことを特徴とする。
【００１１】
請求項２に記載の発明では請求項１記載の発明による介護用衣服において、前記開閉具はスライドファスナー，面ファスナー，ボタン，ホック，紐の何れかからなることを特徴とする。
【００１２】
請求項３に記載の発明では請求項１又は請求項２記載の発明による介護用衣服において、前記身頃部及び袖部の素材は、ニット類，綿，中綿，中ダウンの何れかからなることを特徴とする。
【発明の効果】
【００１３】
請求項１に記載の発明によれば、要介護者が着替えを行なう場合の負担を大幅に低減することができ、しかも着心地のよい介護用衣服を提供することができる。また、介護用衣服は開閉具により前部と後部とに分離可能であり、その形状は通常の衣服と変わらずお洒落なデザインとすることができ、自宅で着用している場合に来客があっても見栄えがよいため着用したままで応対したり、要介護者が自立を目ざし、自らの意思で周りの人の目を気にすることなく外出を思い立つのを手助けすることができる。
【００１４】
請求項２に記載の発明によれば、請求項１に記載の効果に加えて、開閉具による着替え時の作業を容易に行なうことができる。
【００１５】
請求項３に記載の発明によれば、請求項１又は請求項２記載の効果に加えて、要介護者の肌触りがよく、着心地のよい介護用衣服を提供することができる。
【発明を実施するための最良の形態】
【００１６】
以下、本発明を具体化した実施形態を図に基づいて詳細に説明する。
【実施例】
【００１７】
図１乃至図３は本発明の介護用衣服１を示すものであり、介護用衣服１は要介護者の胴体部分全体を覆う形状である身頃部１０，１０ａと、身頃部１０，１０ａの左右それぞれの両端に形成され要介護者の左腕、右腕を覆う形状である一対の袖部２０，２０ａと、この見頃部１０，１０ａと袖部２０，２０ａとを前部と後部とに分離可能とするための開閉具３０，３０ａとを備えている。
【００１８】
前記身頃部１０，１０ａは、要介護者の胴体部分腹部側を覆う前側身頃部１０と、要介護者の胴体部分背中側を覆う後側身頃部１０ａとからなり、上部には要介護者の頭部を通過させるための上部開口部１１が形成され、下部には要介護者の腹部を通過させるための下部開口部１２が形成されている。前側見頃部１０は上下方向でその左半身前面側に左側開放口１３が、上下方向でその右半身前面側に右側開放口１４がそれぞれ設けられている。
【００１９】
前記袖部２０，２０ａは略円筒状で、身頃部１０，１０ａにおいて要介護者の肩付近を覆うようにして形成された肩口１５，１５ａから延設して設けられ、要介護者の腕の前面を覆う前側袖部２０と、被介護者の腕の後面を覆う後側袖部２０ａと、腕の先端を通過させるための袖口２１，２１ａとを備えている。袖部２０，２０ａの袖口２１，２１ａと肩口１５，１５ａとの間で身体の前面側には腕開放口２２，２２ａが設けられており、この腕開放口２２，２２ａは肩口１５を通過して前記左側開放口１３、右側開放口１４とそれぞれ繋がっている。この腕開放口２２，２２ａは左腕側、右腕側の何れも、袖部２０，２０ａの最下部２０ｂと最上部２０ｃとの間で、最下部２０ｂより僅かに上部で前面側に設けられている。なお、腕開放口２２，２２ａを最下部２０ｂからどの程度上部に設けるかは、介護用衣服１のサイズに応じて異なるが、前面側であればどの位置に設けてもよい。
【００２０】
なお、前記身頃部１０，１０ａ及び袖部２０，２０ａに使用する素材としては、ニット類、綿、中綿、中ダウン等が適用可能で、これらの素材は要介護者への肌触りがよく、着心地がよい。
【００２１】
前記前側身頃部１０にはポケット２３が取り付けられているが、これは要介護者の利便性を考慮したものであり、左半身側又は右半身側のどちらからも物品を入れることができる機能を有する。なお、介護用衣服は長袖に限らず、７分袖、５分袖、半袖であっても適用可能である。
【００２２】
前記開閉具３０，３０ａは例えばスライドファスナー，面ファスナー，ボタン，ホック，紐等、開閉操作を容易に行なうことができるものからなり、本実施例ではスライドファスナーを使用している。開閉具３０，３０ａの左半身側は左側開放口１３，腕開放口２２、右半身側は右側開放口１４，腕開放口２２ａに開閉自在に装着され、左半身側の開閉具３０は下部開放口１２から上部に向けて立ち上がり、肩口１５を通過して袖口２１へ至り、右半身側の開閉具３０ａは下部開放口１２から上部に向けて立ち上がり、肩口１５ａを通過して袖口２１ａに至る。なお、左半身側の開閉具３０と右半身側の開閉具３０ａとは、互いが異なる色に彩色することで、開閉時に間違うことがないようにしている。
【００２３】
本発明の介護用衣服１は、開閉具３０，３０ａを左側は左側開放口１３，腕開放口２２、右側は右側開放口１４，腕開放口２２ａに沿って移動させることにより、前側身頃部１０と後側身頃部１０ａとを分離させると、図２に示すように平面状とすることができる。そして、この介護用衣服１を要介護者に着用させる場合は、上部開口部１１に頭部を通過させ、平面状にした介護用衣服１の後側身頃部１０ａを要介護者の背中に向かい合わせ、前側身頃部１０を腹部側に向かい合わせる。そして開閉具３０，３０ａを左側は左側開放口１３，腕開放口２２、右側は右側開放口１４，腕開放口２２ａに沿って移動させることにより、前側身頃部１０と後側身頃部１０ａとを結合させることで、要介護者に介護用衣服１を着用させることができる。
【００２４】
また、要介護者から介護用衣服１を脱がせる場合は、要介護者の左半身側である左側開放口１３，前側袖部２０、右半身側である右側開放口１４，前側袖部の各開閉具３０，３０ａをスライドさせることで、前側と後側とに分離させ、介護用衣服１を要介護者から引き離せばよい。
【００２５】
本発明の介護用衣服は、開閉具が袖部の最下部と最上部との間で前半身側に装着されているので、要介護者は介護用衣服を着替える場合に、無理に腕を伸ばしたり曲げたりする必要がなく、要介護者の負担を少なくすることができる。
【００２６】
また、介護用衣服の開閉具は着替えの場合、又は身体を動かす場合に、身体の一部に触れることがないため痛みを感じることがなく、要介護者の負担を少なくすることができ、着心地がよいものである。
【００２７】
さらに、介護用衣服は開閉具により前部と後部とに分離可能であり、その形状は通常の衣服と変わらずお洒落なデザインとすることができ、自宅で着用している場合に来客があっても見栄えがよいため着用したままで応対したり、要介護者が自立を目ざし、自らの意思で周りの人の目を気にすることなく外出を思い立つのを手助けすることができる。
【図面の簡単な説明】
【００２８】
【図１】本発明の介護用衣服の正面図である。
【図２】図１の介護用衣服の展開図である。
【図３】介護用衣服を着脱する場合の状態を示す正面図である。
【図４】特許文献１の説明図である。
【図５】特許文献２の説明図である。
【図６】特許文献３の説明図である。
【符号の説明】
【００２９】
１            ：  介護用衣服
１０          ：  前側身頃部
１０ａ        ：  後側身頃部
１３          ：  左側開放口
１４          ：  右側開放口
２０          ：  前側袖部
２０ａ        ：  後側袖部
２０ｂ        ：  最下部
２０ｃ        ：  最上部
２２，２２ａ  ：  腕開放口  
３０，３０ａ  ：  開閉具
【図１】
2008075225.tif 000003
【図２】
2008075225.tif 000004
【図３】
2008075225.tif 000005
【図４】
2008075225.tif 000006
【図５】
2008075225.tif 000007
【図６】
2008075225.tif 000008